(57)【要約】  【課題】  簡易な構造にした幼児用乗物の保護者用操向装置を提供する。  【解決手段】  後方のワイヤー操作部ケース７には、その内部に前記長尺ハンドル軸５と連動する一方のワイヤー操作部９を備えると共に、側壁の左右にそれぞれプッシュプルワイヤー１８、１９のアウター２０、２１の一端部を支持させる一方、前記前方のワイヤー操作部ケース５３には、その内部に前記長尺ハンドル軸５の操作に連動する他方のワイヤー操作部５４を備えると共に、側壁の左右にそれぞれ前記プッシュプルワイヤー１８、１９のアウター２０、２１の他端部を支持させる。  そして、特に、前記長尺ハンドル軸５の操作によって、当該長尺ハンドル軸５の下端部における前記一方のワイヤー操作部９を回動させることにより、前記他方のワイヤー操作部５４が回動される構造にする。  【選択図】  図２
2004331071.tif 000002
【特許請求の範囲】
【請求項１】
幼児用乗物の操向方向を、保護者用ハンドルでも操作可能な保護者用操向装置であって、この保護者用操向装置は、前記保護者用ハンドルを上端に備えた長尺ハンドル軸と、この長尺ハンドル軸の下端部を装着し、且つ幼児用乗物の後部から後上方に向けた姿勢で保持する保持部と、この保持部の下端部に設けられた後方のワイヤー操作部ケースと、前記幼児用乗物のハンドル軸に設けられた前方のワイヤー操作部ケースと、よりなり、前記後方のワイヤー操作部ケースには、その内部に前記長尺ハンドル軸と連動する一方のワイヤー操作部を備えると共に、側壁の左右にそれぞれプッシュプルワイヤーのアウターの一端部を支持させる一方、前記前方のワイヤー操作部ケースには、その内部に前記長尺ハンドル軸の操作に連動する他方のワイヤー操作部を備えると共に、側壁の左右にそれぞれ前記プッシュプルワイヤーのアウターの他端部を支持させており、前記長尺ハンドル軸の操作によって、前記保持部の下端部における前記一方のワイヤー操作部を回動させることにより、前記プッシュプルワイヤーによって、前記他方のワイヤー操作部が回動されるように構成されていることを特徴とする幼児用乗物の保護者用操向装置。
【請求項２】
後方のワイヤー操作部ケースは、上下に分割された上側ケースと下側ケースとで構成され、この後方のワイヤー操作部ケースには、上側ケースの側壁にそれぞれプッシュプルワイヤーのアウターの一端部を支持させる一方、保護者用ハンドルの操作によって、下側ケース内に設けられた一方のワイヤー操作部が、当該下側ケースと共に回動するように構成されている請求項１に記載の幼児用乗物の保護者用操向装置。
【請求項３】
幼児用乗物の操向方向を、保護者用ハンドルでも操作可能な保護者用操向装置であって、前記保護者用ハンドルを上端に備えた長尺ハンドル軸と、上下に分割された上側ケースと下側ケースとから成る後方のワイヤー操作部ケースと、前記幼児用乗物のハンドル軸に設けた前方のワイヤー操作部ケースと、これら前後のワイヤー操作部ケース内にそれぞれ接続される２本のプッシュプルワイヤーとを備え、前記後方のワイヤー操作部ケースには、その上側ケースの上面に長尺ハンドル軸を貫通する開口を形成すると共に、当該ワイヤー操作部ケースに長尺ハンドル軸の下端部を着脱可能に取付けて、この長尺ハンドル軸と下側ケースが同方向に共回転されるように構成されていることを特徴とする幼児用乗物の保護者用操向装置。
【請求項４】
幼児用乗物の後部には、長尺ハンドル軸の下部を後上方に向けて取り付けるための保持部が設けられている請求項３に記載の幼児用乗物の保護者用操向装置。
【請求項５】
長尺ハンドル軸は、下部を残して上部が取り外しできる上下分割可能な構造に構成されている請求項１ないし４のいずれか１項に記載の幼児用乗物の保護者用操向装置。
【請求項６】
長尺ハンドル軸が、その下端部内の対向する２側方から、Ｕ形状を有するバネによって付勢させた２個のピンを、外装する接続用パイプの２箇所の開孔に出没させることにより着脱可能な構造に構成されている請求項１ないし５のいずれか１項に記載の幼児用乗物の保護者用操向装置。
【請求項７】
２本のプッシュプルワイヤーの各先端部は、一方のワイヤー操作部の後端部一箇所に装着されている請求項１ないし６のいずれか１項に記載の幼児用乗物の保護者用操向装置。
【請求項８】
請求項１ないし７のいずれか１項に記載された幼児用乗物の保護者用操向装置を備えたことを特徴とする幼児用乗物。
【発明の詳細な説明】
【技術分野】
【０００１】
本発明は、幼児用２輪車（幼児用自転車）、幼児用三輪車、足踏みペダルを備えた幼児用自動車等の幼児用乗物を、保護者が立った姿勢で後ろから押しながら操作ができる幼児用乗物の保護者用操向装置及びこの装置を備えた幼児用乗物に関する。
【背景技術】
【０００２】
従来、幼児用乗物の保護者用操向装置（以下、単に「保護者用操向装置」という。）を備えた幼児用乗物としては、例えば、本体フレームの後部に保護者用ハンドルを設け、この保護者用ハンドルと前輪及びハンドルの支軸の間を連動機構を介して連動させる構造の幼児用三輪車が開示されている（例えば、特許文献１）。
【０００３】
【特許文献１】特開２００１−２４７０７２（特許第３３７８８９８号公報）
【０００４】
前記連動機構は、前輪フォークの支軸と一体的に回動するリング体と、保護者用ハンドルの操作杆の下端部を嵌合し、本体フレーム後端の取付管に回動自在に嵌挿する連結管と、該連結管の中間部に設けた鍔部と、該鍔部と前記リング体の外周部同士を連絡する一対のプッシュブルケーブルとからなるユニットとして構成している。
【０００５】
そして、保護者用ハンドルが不要なときには、前記連結管を取付管から外すと共に、リング体と鍔部を夫々上下カバーから外すことで、操作杆と連動機構が本体フレームから容易に取り外されるように構成したものである。
【発明の開示】
【発明が解決しようとする課題】
【０００６】
しかしながら、この連動機構は、連結管を取付管に回動自在に嵌挿させなければならないうえ、連結管の中間部に設けた鍔部に、更にプッシュブルケーブルが配線されており、その構造が非常に複雑で、しかも高コストになるという問題があった。
【０００７】
また、保護者用ハンドルを不要とするときには、連結管を取付管から外すと共に、リング体と鍔部を夫々上下カバーから外さなければならず、その手間が煩わしい上、複雑な工具が必要であり、特に、一般家庭では取り扱うことができないなどの問題もあった。
【０００８】
本発明は、前記課題を解決することを目的とするものであって、後方のワイヤー操作部ケースに長尺ハンドル軸の下端部を着脱するだけの簡易な構造であるうえ、保護者用ハンドルが不要な場合には、これを簡単に取り外して一般の幼児用乗物としても使用可能な幼児用乗物の保護者用操向装置及びこの装置を備えた幼児用乗物を提供するものである。
【課題を解決するための手段】
【０００９】
本発明に係る幼児用乗物の保護者用操向装置においては、前記目的を達成するため、幼児用乗物の操向方向を、保護者用ハンドルでも操作可能な保護者用操向装置であって、この保護者用操向装置は、前記保護者用ハンドルを上端に備えた長尺ハンドル軸と、この長尺ハンドル軸の下端部を装着し、且つ幼児用乗物の後部から後上方に向けた姿勢で保持する保持部と、この保持部の下端部に設けられた後方のワイヤー操作部ケースと、前記幼児用乗物のハンドル軸に設けられた前方のワイヤー操作部ケースと、よりなり、前記後方のワイヤー操作部ケースには、その内部に前記長尺ハンドル軸と連動する一方のワイヤー操作部を備えると共に、側壁の左右にそれぞれプッシュプルワイヤーのアウターの一端部を支持させる一方、前記前方のワイヤー操作部ケースには、その内部に前記長尺ハンドル軸の操作に連動する他方のワイヤー操作部を備えると共に、側壁の左右にそれぞれ前記プッシュプルワイヤーのアウターの他端部を支持させており、前記長尺ハンドル軸の操作によって、前記保持部の下端部における前記一方のワイヤー操作部を回動させることにより、前記プッシュプルワイヤーによって、前記他方のワイヤー操作部が回動されるように構成されていることを特徴とするものである。
【００１０】
即ち、本発明の保護者用操向装置は、幼児用自転車、幼児用三輪車、幼児用自動車等の幼児用乗物に取り付けて使用するものであり、その取り付けにおいて、保護者用ハンドルは、幼児用乗物の後方に居る保護者が自然な立ち姿勢のまま手で握ることができるように、幼児用乗物の座席後方に長尺ハンドル軸及びその保持部を介して位置されている。
【００１１】
ここで、保護者用ハンドルは、両手で操作できる形状のものでも良いが、片手で操作できるもの、例えば、楕円形状のもの、略三角形状のもの、円筒形のグリップ状のものなどが挙げられるのであり、これらの中でも、特に、手で持ち易く、手で持って前方に押し易い楕円形状のものが最適である。
【００１２】
具体的には、例えば操向ハンドルを左右いずれかの方向に回動させることによって操向ハンドルを支持している長尺ハンドル軸を連動させ、長尺ハンドル軸の下端部に取り付けられているワイヤー操作部を回動操作させることによって、２本のプッシュプルワイヤーを操作し、幼児用乗物のハンドル軸に設けられているワイヤー操作部とともに、このハンドル軸を回動させ、前輪の操向方向を決めることができる。
【００１３】
このものでは、従来のような複雑な構造を採る必要がなく、保護者用ハンドルを備えた長尺ハンドル軸の下端部を、後方のワイヤーケース部に装着するだけの簡易な構造にできるのである。
【００１４】
そして、幼児用乗物に幼児を乗せたまま、保護者が自然な立ち姿勢のまま、歩きながらその後ろから片手で押しながら保護者の手によって自由に向きを換えることができるのである。
【００１５】
一方、保護者用ハンドルを不要とするときには、長尺ハンドル軸を後方のワイヤー操作部から離脱するだけで、簡単に取り外すことができ、一般の幼児用乗物として使用できるのである。
【００１６】
ところで、前述した本発明の保護者用操向装置においては、幼児用乗物の後部から後上方に向けて取り付けて使用するものであり、本発明者は、好適な幼児用乗物として幼児用自転車が挙げられる。特に、後輪の両側に補助輪を取り付けたものが望ましい。この場合、長尺ハンドル軸は、幼児用自転車のクランク軸の近接する後方から左右のサドルステイ間を通り、幼児用自転車の後上方に向くように取り付けられ、その取り付けは、長尺ハンドル軸の保持部を、左右のサドルステイ、左右のチェーンステイ、クランク軸を保持している筒部などの適当なフレームの個所に装着したり、或いは固定することにより可能となる。
【００１７】
この他にも、本発明の保護者用操向装置は、幼児用三輪車や幼児用自動車にも取り付けて使用できるのである。
【００１８】
本発明における保護者用操向装置においては、幼児用乗物に対して着脱自在な構造を有し、保護者用操向装置を使用しないとき、或いは保護者用操向措置が不要になったときに、これを簡単に取り外すことができるのである。
【００１９】
本発明に係る幼児用乗物の保護者用操向装置においては、前記後方のワイヤー操作部ケースが、上下に分割された上側ケースと下側ケースとで構成され、この後方のワイヤー操作部ケースには、上側ケースの側壁にそれぞれプッシュプルワイヤーのアウターの一端部を支持させる一方、保護者用ハンドルの操作によって、下側ケース内に設けられた一方のワイヤー操作部が、当該下側ケースと共に回動するように構成されている。
【００２０】
このものでは、後方のワイヤー操作部ケースが、上下に分割されており、保護者用ハンドルの操作によって、この後方のワイヤー操作部ケース内の一方のワイヤー操作部が、下側ケースと共に回動される簡易な構造に構成されている。
【００２１】
本発明に係る他の幼児用乗物の保護者用操向装置においては、幼児用乗物の操向方向を、保護者用ハンドルでも操作可能な保護者用操向装置であって、前記保護者用ハンドルを上端に備えた長尺ハンドル軸と、上下に分割された上側ケースと下側ケースとから成る後方のワイヤー操作部ケースと、前記幼児用乗物のハンドル軸に設けた前方のワイヤー操作部ケースと、これら前後のワイヤー操作部ケース内にそれぞれ接続される２本のプッシュプルワイヤーとを備え、前記後方のワイヤー操作部ケースには、その上側ケースの上面に長尺ハンドル軸を貫通する開口を形成すると共に、当該ワイヤー操作部ケースに長尺ハンドル軸の下端部を着脱可能に取付けて、この長尺ハンドル軸と下側ケースが同方向に共回転されるように構成されていることを特徴とするものである。
【００２２】
このように構成すると、従来のような複雑な構造を採る必要がなく、保護者用ハンドルを備えた長尺ハンドル軸の下端部を、後方のワイヤーケース部に装着するだけの簡易な構造にできるのである。
【００２３】
この場合、長尺ハンドル軸の取り付けを容易にするために、幼児用乗物の後部には、長尺ハンドル軸の下部を後上方に向けて取り付けるための保持部を設けたものが好ましい。
【００２４】
このように長尺ハンドル軸を取り付ける保持部を設けると、幼児用自転車、幼児用自動車、幼児用三輪車等、様々な種類の幼児用乗物に対応できるのである。
【００２５】
又、本発明においては、長尺ハンドル軸が、下部を残して上部が取り外しできる上下分割可能な構造にされているものが好ましい。
【００２６】
このように構成すると、保護者用のハンドル軸やその周囲の保持部が簡単に着脱できるように、保護者用ハンドル軸を、下部を残して上部が取り外しできる上下分割可能な構造にしており、必要に応じて、簡単に幼児用乗物に装着できたり、或いは、取り外すことができるのである。
【００２７】
本発明においては、前記長尺ハンドル軸が、その下端部内の対向する２側方から、Ｕ形状を有するバネによって付勢させた２個のピンを、外装する接続用パイプの２箇所の開孔に出没させることにより着脱可能な構造に構成されているものが望ましい。
【００２８】
このように構成すると、バネ付勢された２個のピンを押さえるだけで、長尺ハンドル軸を簡単に着脱することができるのである。
【００２９】
本発明においては、２本のプッシュプルワイヤーの各先端部は、一方のワイヤー操作部の後端部一箇所に装着されているものが望ましい。
【００３０】
このものでは、２本のプッシュプルワイヤーの各先端部を、ワイヤー操作部の後端の一ヶ所に装着するだけ良く、製造上も簡易にできる上、２本のプッシュプルワイヤーの各先端部が一方のワイヤー操作部の後端部一箇所に装着されているので、保護者による操向が正確になるのである。
【００３１】
本発明に係る幼児用乗物においては、本発明の幼児用乗物の保護者用操向装置を備えたことを特徴とするものである。
【００３２】
このように構成することにより、本発明の幼児用乗物の保護者用操向装置としての利点を、幼児用乗物として発揮できるのである。
【発明の効果】
【００３３】
本発明に係る幼児用乗物の保護者用操向装置によれば、従来のような複雑な構造を採る必要がなく、保護者用ハンドルを備えた長尺ハンドル軸の下端部を、後方のワイヤーケース部に装着するだけの簡易な構造にできるのである。
【００３４】
そして、このように、幼児用乗物に着脱できる簡易な構造に形成されている結果、必要に応じて利用できるのであり、不要な場合には取り外して、一般の幼児用乗物のようにシンプルな形状に構成できるなどの効果を奏するのである。
【００３５】
本発明に係る幼児用乗物の保護者用操向装置によれば、後方のワイヤー操作部ケースは、上下に分割された上側ケースと下側ケースとで構成され、この後方のワイヤー操作部ケースには、上側ケースの側壁にそれぞれプッシュプルワイヤーのアウターの一端部を支持させる一方、保護者用ハンドルの操作によって、下側ケース内に設けられた一方のワイヤー操作部が、当該下側ケースと共に回動するように構成されていると、保護者用ハンドルの操作によって、一方のワイヤー操作部が、下側ケースと共に回動される簡易な構造にできるなどの効果を奏するのである。
【００３６】
本発明に係る他の幼児用乗物の保護者用操向装置によれば、従来のような複雑な構造を採る必要がなく、保護者用ハンドルを備えた長尺ハンドル軸の下端部を、後方のワイヤーケース部に装着するだけの簡易な構造にできる上、廉価にできるなどの効果を奏するのである。
【００３７】
この場合において、長尺ハンドル軸を取り付ける保持部を設けると、幼児用自転車、幼児用自動車、幼児用三輪車等、様々な種類の幼児用乗物に対応できるなどの効果を奏するのである。
【００３８】
本発明においては、保護者用のハンドル軸やその周囲の保持部が簡単に着脱できるように、保護者用ハンドル軸を、下部を残して上部が取り外しできる上下分割可能な構造にすると、必要に応じて、簡単に幼児用乗物に簡単に装着、或いは、取り外すことができるなどの効果を奏するのである。
【００３９】
本発明においては、長尺ハンドル軸が、その下端部内の対向する２側方から、Ｕ形状を有するバネによって付勢させた２個のピンを、外装する接続用パイプの２箇所の開孔に出没させることにより着脱可能な構造に構成すると、バネ付勢された２個のピンを押さえるだけで、長尺ハンドル軸を簡単に着脱することができるなどの効果を奏するのである。
【００４０】
本発明においては、２本のプッシュプルワイヤーの各先端部は、一方のワイヤー操作部の後端部一箇所に装着されていると、製造が簡易である上、２本のプッシュプルワイヤーの各先端部が一方のワイヤー操作部の後端部一箇所に装着されているので、保護者による操向が正確になるなどの効果を奏するのである。
【００４１】
本発明の幼児用乗物においては、本発明に係る幼児用乗物の保護者用操向装置を備えたことを特徴とするものであり、したがって、本発明の幼児用乗物の保護者用操向装置としての効果を、幼児用乗物として発揮できるなどの効果を奏するのである。
【発明を実施するための最良の形態】
【００４２】
本発明の保護者用操向装置の具体的な実施の形態を幼児用自転車に適用したものについて詳述するが、本発明はこれに限定されるものではない。
【実施例１】
【００４３】
図１の（ａ）図は本発明の第１実施形態による保護者用操向装置（以下、第１実施形態の操向装置と略称する。）を装着した幼児用自転車を示す側面図であり、同（ｂ）図は保護者用ハンドルを示す要部平面図であり、同（ｃ）図は同じく保護者用ハンドルの要部後面図である。
【００４４】
図１の（ａ）図では、第１実施形態の操向装置１が幼児用自転車５０に装着されている。この第１実施形態の操向装置１は、この場合、保護者用操向装置２に保護者用ブレーキ装置３を装備しており、保護者用操向装置２は、保護者用ハンドル４と、この保護者用ハンドル４を上端に装着した長尺ハンドル軸５と、この長尺ハンドル軸５の下端部を装着し、且つ幼児用自転車５０の後部から後上方に向けた姿勢で保持する保持部６と、この保持部６を保持する後方のワイヤー操作部ケース７と、幼児用自転車５０のハンドル軸５１に設けた前方のワイヤー操作部ケース５３とよりなる。
【００４５】
前記保護者用ハンドル４は、第１実施形態では、図１の（ｂ）及び（ｃ）図に示すように、保護者が片手で持ち易い楕円形状を有する、例えば合成樹脂で形成されており、保護者が片手で押したり、回動させ易いように、略水平に向けられている。
【００４６】
そして、図１の（ａ）図に示すように、前記保持部６の下部側に位置する後方のワイヤー操作部ケース７内から幼児用自転車５０のハンドル軸５１を保持しているハンドルボス５２の下部に装着した前方のワイヤー操作部ケース５３内に向けてプッシュプルワイヤー１８，１９をそのアウター２０，２１とともに接続されている。
【００４７】
図２の（ａ）図は、保持部６の下部側に位置する本発明の主要部である後方のワイヤー操作部ケース７内を拡大して示す側面断面図であり、同（ｂ）図は同じくその平面断面図である。
【００４８】
これら各図に示すように、後方のワイヤー操作部ケース７は、左右両端近傍から夫々ワイヤーガイド部７ａ，７ｂを突出させた平面視、略円形を有する上側ケース７Ａと下側ケース７Ｂとからなる上下分割構造の金属製又は樹脂製のものである。
【００４９】
上側ケース７Ａの上面中央には、長尺ハンドル軸５とともに保持部６の下部を突入させる開口７ｃが形成されており、この開口７ｃ内に突入させた長尺ハンドル軸５の下部に、ワイヤーガイド板８が一方のワイヤー操作部９とともにネジ１３，１４で止められている。
【００５０】
又、前記長尺ハンドル軸５の下部支持は、下側ケース７Ｂの内側下面中央から上方に向けて突出させたボス７ｄにネジ１６を挿通させ、このネジ１６の先端部を長尺ハンドル軸５の下端面に設けたネジ溝５ａに向けて強く締付けて螺装し、長尺ハンドル軸５の回転に連動して、ネジ１６と下側ケース７Ｂが同方向に共回転されるようにボス部７ｄ上に支持させている。
【００５１】
このようにして、長尺ハンドル軸５は、上側ケース７Ａを貫通して、下側ケース７Ｂの内面にネジ１６によって締付けされ、下側ケース７Ｂに連結して取付けられるのである。
【００５２】
保持部６と上側ケース７Ａとは、保持部６の下部に形成されているフランジ部６ａと該上側ケース７Ａの上面とを重ね合わせて、双方をボルト１７，１７で装着されている。
【００５３】
そして、ワイヤーガイド部７ａ，７ｂから後方のワイヤー操作部ケース７内に挿通させた２本のプッシュプルワイヤー１８，１９の一端近傍部を、一方を右側から、他方を左側からそれぞれワイヤーガイド板８の外周面に沿わせ、各先端部を一方のワイヤー操作部９の後端一箇所にボルト２２を用いて装着されている。そして、前記各プッシュプルワイヤー１８，１９のアウター２０，２１の一端をワイヤーガイド部７ａ，７ｂの先端にボルトを用いて装着させている。
【００５４】
次に、図１の（ａ）図に示す幼児用自転車５０に装着されている本発明の前方のワイヤー操作部ケース５３の内部構造について説明する。
【００５５】
図３の（ａ）図は、前方のワイヤー操作部ケース５３内を拡大して示す側面断面図であり、同（ｂ）図は同じく平面断面図である。
【００５６】
これら各図に示すように、前方のワイヤー操作部ケース５３は、前述した後方のワイヤー操作部ケース７と略同様の形状を有しており、左右両端近傍の後部から夫々ワイヤーガイド部５３ａ，５３ｂを突出させた平面視略円形を有する金属製又は樹脂製のものであり、この前方のワイヤー操作部ケース５３の上面中央には、ハンドル軸５１とともにハンドルボス５２の下部を突入させる開口５３ｃが形成されており、この開口５３ｃ内に突入させたハンドル軸５１の下部に、ドーナツ板形状を有する他方のワイヤー操作部５４が装着されている。
【００５７】
そして、前記ワイヤー操作部５４の後端部中央における左右に形成された円弧状の切欠溝５４ｃ，５４ｃと、この切欠溝５４ｃ，５４ｃに連通するピン孔５４ｂ、５４ｂが上下方向に向けて形成されている。
【００５８】
そして、前記ワイヤーガイド部５３ａ，５３ｂから前方のワイヤー操作部ケース５３に挿通させた２本のプッシュプルワイヤー１８，１９の他端近傍部分を、一方を右側から、他方を左側からそれぞれワイヤー操作部５４の外周面に沿わせ、各先端部に装着してあるピンをピン孔５４ｂ内に上下に重ね合わせた向きで突入させることにより、２本のプッシュプルワイヤー１８，１９の他端側の先端部分をワイヤー操作部５４に装着させている。そして、各プッシュプルワイヤー１８，１９のアウター２０，２１の他端をワイヤーガイド部５３ａ，５３ｂの先端に装着させている。
【００５９】
そして、ハンドル軸５１とワイヤー操作部５４とをピン５６で連結して回動方向に連動するように構成している。
【００６０】
以上のように２本のプッシュプルワイヤー１８，１９の各一端を一方のワイヤー操作部９に、各他端を他方のワイヤー操作部５４に、それぞれ装着することにより、図１の（ａ）に示す保護者用ハンドル４を左右いずれかの方向に回動操作すると、図２の（ａ）図及び（ｂ）図に示す長尺ハンドル軸５を介して一方のワイヤー操作部９が回動して一方のプッシュプルワイヤー１８（１９）が引かれる。その結果、図３の（ａ）図及び（ｂ）図に示す他方のワイヤー操作部５４が回動し、更に、ハンドル軸５１を通じて幼児用自転車５０の操向ハンドル５４及び前輪５５を支持しているフォーク５６を介して前輪５５を左右方向に操向させることができるのである。
【００６１】
図４は保護者用操向装置２を幼児用自転車５０に取り付ける構造を示す要部側面図であり、図５は幼児用自転車における左右のサドルステイ８１，８１に支持部材８２を装着した状態を示す平面図であり、図６は幼児用自転車のハンガーラグ（ボトムブラケットラグ）８４と左右のチェーンステイ８５，８５の前端間に保護者用操向装置２の保持部の下部を装着した状態を示す平面図であり、図７は同じくその側面図である。
【００６２】
これら各図に示すように、保護者用操向装置２の長尺ハンドル軸５とその保持部６はその下部において着脱可能な分割構造を有する。
【００６３】
図４〜図７に示すように、幼児用自転車５０における左右のサドルステイ８１，８１の間に、保持部６を挿通させる大きさの筒状の支持部材８２が固定されている。そして、幼児用自転車５０のクランク軸を支持している金属製筒体よりなるハンガーラグ（ボトムブラケットラグ）８４と、左右のチェーンステイ８５，８５の間に、保持部６の下部側６Ｂを溶接によって装着している。
【００６４】
そして、図４〜図７に示すように、下部側の保持部６Ｂの上端外周面に、上部側の保持部６Ａの下端部を挿通支持させる筒部材Ｚを上方に向けて突出させた状態で固定してある。
【００６５】
一方、長尺ハンドル軸５は下部側の分割部５Ｂと上部側の本体部５Ａとが回転方向に連動する接続になるように、下部側の分割部５Ｂには、上部側の本体部５Ａの下端部が嵌まるピン９４が横方向に係止されている。図示していないが、上部側の本体部５Ａの下端部には、このピン９４に嵌まるＵ形状に切欠部が形成されている。そして、上下の保持部６Ａ，６Ｂが回転しないように、摘み付きネジ８９で固定できるようにしてある。
【００６６】
なお、上下のハンドル軸の連結を、他の方法、例えば、双方の端部を合わせることにより、角形溝と角型の突起による組み付け、又はスプラインを利用した接続ができるようにしてもよい。
【００６７】
図８は本発明の保護者用操向装置１を幼児用自動車１００に取り付けた状態を透視して示す平面図である。
【００６８】
図８に示す幼児用自動車１００は、車台（図示せず）の上にボディ１０１を搭載し、このボディ１０１の中央に設けられている大きな開口１０２内に座席１０３が取り付けられており、この座席１０３の前方には操向ハンドル１０４を備えられている。
【００６９】
そして、この操向ハンドル１０４を支持しているハンドル軸１０５の下端部に、前輪１０６，１０６の操向を行なうリンク１０７を操作する操作アーム１０８を突出させている。
【００７０】
そして、更に、座席１０３の前下方に、ペダル１１０．１１０がクランク軸１１１で支持されており、このクランク軸１１１には、ベルトスプロケット１１２が装着されており、このベルトスプロケット１１２の後方には、後輪１１３、１１３の車軸１１４が位置し、この車軸１１４上にベルトスプロケット１１５が装着されている。
【００７１】
そして、双方のベルトスプロケット１１２，１１５間にはベルト１１６が掛けられ、このベルト１１６をテンションプーリー１１７で緊張させて、ペダル１１０，１１０によるクランク回転を後輪１１３，１１３に伝達し、テンションプーリー１１７によるベルト１１６の緊張を弱めることで、ベルト１１６による動力伝達を遮断するクラッチ機能を有する構造になっている。
【００７２】
本発明の操向装置２は、この幼児用自動車１００の後方から保護者が保護者用ハンドル４を操作してハンドル軸１０５を回動させ、また、ブレーキレバー９０の操作により、後輪１１３，１１３の車軸１１４上に設けられているブレーキディスク１１８を制動し、更に、レバー１１９の操作によりテンションプーリー１１７を操作して、保護者用操向装置１の使用時にはペダル１１０，１１０やクランク軸１１１が連動しないようにして、幼児の足を守っている。
【実施例２】
【００７３】
図９に示す操向装置２のハンドル軸５はその途中部において着脱可能な他の実施形態による分割構造を示すものであり、又、図１０は上部側のハンドル軸５の本体部５Ａを取り外した状態を示す幼児用自転車の要部側面図であり、図１１はハンドル軸５を構成している下部側の分割部５Ｂと上部側の本体部５Ａとの連結部分を示す正面断面図である。
【００７４】
図９及び図１０に示すように、ハンドル軸５の下部側の分割部５Ｂの上端近傍部分が左右のサドルステイ８１，８１の前部間に届く長さよりも短い長さを有し、その上部の外周面に、上部側の本体部５Ａを接続するための接続用パイプＸの下部が装着されている。
【００７５】
この分割部５Ｂは、その下部が、ハンガーラグ（ボトムブラケットラグ）８４と、左右のチェーンステイ８５，８５の間に位置させて、ハンガーラグ８４に溶接によって装着されて支持されており、接続用パイプＸは左右のサドルステイ８１，８１の前部の間から斜め後方に多少突出した状態に形成されている。
【００７６】
そして、この接続用パイプＸの上端近傍部には、上部側の本体部５Ａを取り外したときに、接続用パイプＸ上端の開口から雨水や埃等が入らないようにするためのキャップＲが取り付けられており、図９に示すように、上部側の本体部５Ａを接続用パイプＸ内に嵌入して双方を連結した状態にあるときには、前記開口から取り外したキャップＲは、接続用パイプＸに嵌め付けたリング部分で支持された状態に構成されている。
【００７７】
図１１に示すように、ハンドル軸５を構成している下部側の分割部５Ｂと上部側の本体部５Ａとの連結は、上部側の本体部５Ａの下部を前記接続用パイプＸ内に突入させ、上部側の本体部５Ａ内の対向する２側方から、Ｕ形状を有するバネＳによって付勢させた２個のピン８７，８７を、接続用パイプＸに形成されている２箇所の開孔５７ａ，５７ａ内から更に外側に突出させることにより行なわれており、このように構成すると、上部側の本体部５Ａを左右何れかの方向に回転操作したとき、下部側の分割部５Ｂのワイヤー操作部ケースの上方部分が共に連動する。
【００７８】
なお、接続用パイプＸ内から上部側の本体部５Ａを取り外すときには、２個のピン８７，８７の先端部を指先或いはドライバーの先端などで押さえて後退させた状態で、本体部５Ａを上方に引くと、本体部５Ａは接続用パイプＸ内から極めて容易に抜き取り可能になる。
【００７９】
そして、図９及び図１０に示すように、保護者用ブレーキのブレーキワイヤー６８の途中部を分断させて、この分断させた部分をジョイント９９で接続させるようにすると、上部側の本体部５Ａの着脱が容易にできる。
【図面の簡単な説明】
【００８０】
【図１】図１において（ａ）図は本発明の第１実施形態による保護者用操向装置を装着した幼児用自転車を示す側面図である。  図１において（ｂ）図は、保護者用ハンドルを示す要部平面図である。  図１において（ｃ）図は、同じく保護者用ハンドルの後面図である。
【図２】図２において（ａ）図は、保持部の下部側に位置する後方のワイヤー操作部ケース内を拡大して示す側面断面図である。  図２において（ｂ）図は、同じくその平面断面図である。
【図３】図３において（ａ）図は、前方のワイヤー操作部ケースを拡大して示す側面断面図である。  図３において（ｂ）図は、同じくその平面断面図である。
【図４】図４は、本発明に係る保護者用操向装置を幼児用自転車に取り付けた構造を示す要部側面図である。
【図５】図５は、幼児用自転車における左右のサドルステイに支持部材を装着した状態を示す平面図である。
【図６】図６は、幼児用自転車のハンガーラグと左右のチェーンステイとの前端間に保護者用操向装置の保持部の下部を装着した状態を示す平面図である。
【図７】図７は、同じくその側面図である。
【図８】図８は、本発明のブレーキ付保護者用操向装置を幼児用自動車に取り付けた状態を透視して示す平面図である。
【図９】図９は本発明の保護者用操向装置の長尺ハンドル軸を、その途中部において着脱可能にした第２実施形態による保護者用操向装置を装着した幼児用自転車を示す要部側面図である。
【図１０】図１０は上部側の長尺ハンドル軸の本体部を取り外した状態を示す幼児用自転車の要部側面図である。
【図１１】図１１はハンドル軸を構成している下部側の分割部と上部側の本体部との連結部分を示す正面断面図である。
【符号の説明】
【００８１】
５０  幼児用乗物（幼児用自転車）
１００  幼児用乗物（幼児用自動車）
１  幼児用乗物の保護者用操向装置
４  保護者用ハンドル
５  長尺ハンドル軸
５Ａ  上部側の本体部
５Ｂ  下部側の分割部
５１  幼児用のハンドル軸
５３  前方のワイヤー操作部ケース
５４  他方のワイヤー操作部
Ｘ  接続用パイプ
５７ａ  開孔
６  保持部
７  後方のワイヤー操作部ケース
７Ａ  上側ケース
７Ｂ  下側ケース
１８、１９  プッシュプルワイヤー
２０、２１  アウター
８７  ピン
Ｓ  バネ
【図１】
2004331071.tif 000003
【図２】
2004331071.tif 000004
【図３】
2004331071.tif 000005
【図４】
2004331071.tif 000006
【図５】
2004331071.tif 000007
【図６】
2004331071.tif 000008
【図７】
2004331071.tif 000009
【図８】
2004331071.tif 000010
【図９】
2004331071.tif 000011
【図１０】
2004331071.tif 000012
【図１１】
2004331071.tif 000013